(57)【特許請求の範囲】
【請求項１】
一方の面に設けられた貼着手段によって配送物に貼付される貼付片と、前記貼着手段によって前記貼付片に剥離可能に貼着された控え片とを有してなる配送伝票において、
前記控え片は、前記貼付片との貼着面とは反対側の面に通知情報記入領域を有し、
前記貼付片は、前記通知情報記入領域に記入された通知情報が複写される通知情報複写領域を具備する通知情報片部が分離可能に区画形成されていることを特徴とする配送伝票。
【発明の詳細な説明】
【技術分野】
【０００１】
本発明は、配送物に貼付可能に構成された配送伝票に関し、特に、配送情報の他に配送元から配送先に通知すべき情報が記入される情報記入領域の構造に関する。
【背景技術】
【０００２】
従来より、配送物を配送する場合、配送物の配送元及び配送先の住所や氏名あるいは名称等の配送情報が記入された配送伝票が用いられ、配送情報が記入された配送伝票が配送物に貼付され、配送伝票に記入された配送情報に従って配送物が配送先に配送されている。
【０００３】
このような配送伝票としては、配送物に貼付される貼付片と、貼付片に剥離可能に貼着された控え片とから構成されるものが用いられている。控え片には、配送情報を記入するための配送情報記入領域が設けられ、また、貼付片には、この配送情報記入領域に記入された配送情報が複写される配送情報複写領域が設けられ、控え片に配送情報が記入されると、この配送情報が貼付片にも複写される構造となっている。また、貼付片には、配送物が配送先に配送された後に配送業者が持ち帰る受領片が分離可能に区画形成されており、この受領片に受領印が押下され、受領片が貼付片から分離されて配送業者によって持ち帰られることにより、配送物が配送先に配送されたことが管理されることになっている。
【０００４】
ところで、このような配送伝票を用いた配送サービスは、修理を必要とする電子機器等の配送にも用いられている。そこで、このような電子機器等の修理を依頼する場合に、その電子機器等の配送依頼を容易にするために、保証書と配送伝票とを一体化させたものが考えられている（例えば、特許文献１参照。）。この配送伝票は、２層構造を有する配送伝票の表面側となる層に保証書が分離可能に区画形成されており、電子機器等の修理を依頼する場合は、保証書を分離して配送伝票を電子機器等に貼付し、電子機器等の修理を行うメーカにその電子機器等を配送することになる。
【特許文献１】特開２００３−４８３８６号公報
【発明の開示】
【発明が解決しようとする課題】
【０００５】
上述したように電子機器等の修理を依頼する場合は、電子機器等の修理を行うメーカに対して、電子機器等の故障状態や現在の使用状況等を通知する必要がある。従来は、電子機器等の故障状態や現在の使用状況等を記入した修理依頼書を作成し、修理を依頼する電子機器等とともに梱包し、上述したような配送伝票を用いて配送を依頼している。ところが、このように修理依頼書を作成し、修理を依頼する電子機器等とともに梱包する場合は、そのための手間がかかってしまうとともに、修理依頼書を電子機器とともに梱包し忘れてしまう虞れがある。
【０００６】
また、上述したような配送伝票に電子機器等の故障状態や現在の使用状況等を記入する構成とすることも考えられるが、その場合、電子機器等の故障状態や現在の使用状況等が記入された配送伝票は電子機器等に貼付されているため、電子機器等の修理を行うメーカにおいて、電子機器等の故障状態や現在の使用状況等が記入された領域を、控えとして保管しておくために電子機器等から分離することが困難であるという問題点がある。
【０００７】
本発明は、上述したような従来の技術が有する問題点に鑑みてなされたものであって、配送物に関する情報を配送物の配送元から配送先に手間をかけずに通知することができるとともに、配送物の配送元から通知されてきた情報を配送先にて容易に管理することができる配送伝票を提供することを目的とする。
【課題を解決するための手段】
【０００８】
上記目的を達成するために本発明は、
一方の面に設けられた貼着手段によって配送物に貼付される貼付片と、前記貼着手段によって前記貼付片に剥離可能に貼着された控え片とを有してなる配送伝票において、
前記控え片は、前記貼付片との貼着面とは反対側の面に通知情報記入領域を有し、
前記貼付片は、前記通知情報記入領域に記入された通知情報が複写される通知情報複写領域を具備する通知情報片部が分離可能に区画形成されていることを特徴とする。
【０００９】
上記のように構成された本発明においては、配送物の配送元から配送先に通知したい通知情報が控え片の通知情報記入領域に記入されると、この通知情報は、控え片に剥離可能に貼着され、配送物に貼付される貼付片の通知情報複写領域に複写される。そして、通知情報複写領域に通知情報が複写された貼付片が控え片から剥離され、配送物に貼付されてこの配送物が配送先に配送されることになる。配送物が配送先に配送された後、情報複写領域を含む通知情報片部が貼付片から分離され、配送先において管理されることになる。
【発明の効果】
【００１０】
以上説明したように本発明においては、控え片の通知情報記入領域に記入された情報が、配送物に貼付される貼付片の通知情報複写領域に複写され、この通知情報複写領域を含む通知情報片部が貼付片から分離可能な構成としたため、配送物に関する情報を配送物の配送元から配送先に手間をかけずに通知することができるとともに、配送物の配送元から通知されてきた情報を配送先にて容易に管理することができる。また、貼付片が配送物に貼付された状態においては、通知情報複写領域に複写された情報が外部から視認不可能となるため、配送物の配送途中にて外部から見られたくない情報を通知情報記入領域に記入した場合であっても、その情報を配送物の配送途中において隠蔽することができる。
【発明を実施するための最良の形態】
【００１１】
以下に、本発明の実施の形態について図面を参照して説明する。
【００１２】
（第１の実施の形態）
図１は、本発明の配送伝票の第１の実施の形態を示す図であり、（ａ）は積層構成を示す図、（ｂ）は（ａ）に示したＡ−Ａ’断面図である。
【００１３】
本形態は図１に示すように、貼付片１０と控え片２０とが、貼付片１０の一方の面に塗布された貼着手段である粘着剤１３と控え片２０の一方の面に塗布された剥離剤２２によって互いに剥離可能に貼着されて構成されている。
【００１４】
図２は、図１に示した貼付片１０の構成を示す図であり、（ａ）は表面の構成を示す図、（ｂ）は控え片２０との貼着面の構成を示す図である。
【００１５】
本形態における貼付片１０は図１及び図２に示すように、通知情報片４０及び受領片３０がミシン目１１によって他の領域から分離可能に区画形成され、通知情報片４０及び受領片３０とはならない領域の裏面に粘着剤１３が塗布されている。
【００１６】
通知情報片４０は、この貼付片１０が粘着剤１３によって配送物に貼付された際に荷札となる部分であって、伝票番号を記入するための伝票番号記入領域４２と、配送元や配送先の住所や氏名あるいは名称等の配送情報を記入するための配送情報記入領域４１とが設けられている。また、１つの角部には切り込み４３が形成されており、通知情報片４０を貼付片１０の他の領域から分離する際、この切り込み４３を摘むことにより、分離しやすくなっている。さらに、伝票番号記入領域４２及び配送情報記入領域４１が設けられた面とは反対側の面には、その全面に顕色剤層１２が積層され、それにより、控え片２０に記入された、配送物となる電子機器等の故障状態や現在の使用状況等の通知情報が複写される通知情報複写領域４４が形成されている。
【００１７】
受領片３０は、伝票番号を記入するための伝票番号記入領域３３と、配送元や配送先の住所や氏名あるいは名称等の配送情報を記入するための配送情報記入領域３１と、配送物が配送先に配送された場合に受領印を押下するための押下領域３２とが設けられている。また、１つの角部には切り込み３４が形成されており、受領片３０を貼付片１０の他の領域から分離する際、この切り込み３４を摘むことにより、分離しやすくなっている。
【００１８】
図３は、図１に示した控え片２０の構成を示す図であり、（ａ）は貼付片１０との貼着面の構成を示す図、（ｂ）は裏面の構成を示す図である。
【００１９】
本形態における控え片２０は図１及び図３に示すように、貼付片１０との貼着面においては、貼付片１０の通知情報片４０に対向する領域にマイクロカプセル層２１が積層され、その他の領域の全面に剥離剤２２が塗布され、その一部に広告情報２３が印刷されている。また、裏面においては、マイクロカプセル層２１に対向する領域に、配送物となる電子機器等の故障状態や現在の使用状況等の通知情報を記入するための通知情報記入領域２４が設けられているとともに、広告情報２３と対向する領域にも広告情報２５が印刷されている。
【００２０】
ここで、マイクロカプセル層２１及び顕色剤層１２について詳細に説明する。
【００２１】
マイクロカプセル層２１は、発色剤がマイクロカプセル内に包含されたものであって、マイクロカプセルの壁材が外圧等によって破壊されることにより発色剤が放出された場合、顕色剤層１２の顕色剤と接触することにより発色する。発色剤を内包するマイクロカプセルおよび顕色剤としては、感圧複写帳票に用いられる公知のものを適宜用いることができる。例えば、発色剤としてロイコ系染料を用い、これを芯材としてその周りに尿素−ホルマリン樹脂等の樹脂からなる壁材を形成して得られるマイクロカプセルを用いることができる。顕色剤としては、例えば固体酸を用いることができる。
【００２２】
このため、控え片２０の通知情報記入領域２４に通知情報が記入されると、その記入の圧力によって発色剤が放出され、顕色剤層１２の顕色剤と接触することにより発色し、通知情報記入領域２４に記入された通知情報が貼付片１０の通知情報複写領域４４に複写されることになる。
【００２３】
以下に、上記のように構成された配送伝票の使用方法について説明する。
【００２４】
図４は、図１〜図３に示した配送伝票の使用方法を説明するための図である。
【００２５】
電子機器を使用しているユーザが、電子機器が故障してその修理を依頼するために、電子機器の製造会社や修理会社に電話をすると、電子機器の製造会社や修理会社において、依頼者の住所や氏名、並びに電子機器の品名や型番等の機器を特定する情報及び故障の内容が聞き取られる。これらの情報は、電子機器をユーザから回収して電子機器の製造会社や修理会社に配送する配送業者に通知される。
【００２６】
配送業者においては、電子機器の製造会社や修理会社から通知された情報に基づいて、レーザプリンタやインクジェットプリンタ等のノンインパクトプリンタによって、貼付片１０の伝票番号記入領域３３，４２にこの配送伝票を管理するための同一の伝票番号３３ａ，４２ａが印字されるとともに、貼付片１０の配送情報記入領域３１，４１に、電子機器の配送先の住所や名称、並びに電子機器の修理依頼者の住所や氏名等の配送情報３１ａ，４１ａが印字される（図４（ａ））。この際、これらの情報がノンインパクトプリンタによって貼付片１０に印字されるため、貼付片１０の配送情報記入領域３１，４１に印字された配送情報３１ａ，４１ａがマイクロカプセル層２１や顕色剤層１２によって貼付片１０の裏面や控え片２０に複写されてしまうことはない。
【００２７】
そして、配送業者によって、修理を依頼された電子機器が回収される際、控え片２０の通知情報記入領域２４に、回収される電子機器の故障状態や現在の使用状況等の通知情報２４ａが手書きで記入される（図４（ｂ））。
【００２８】
すると、その記入の圧力によってマイクロカプセル層２１の発色剤が放出され、顕色剤層１２の顕色剤と接触することにより発色し、通知情報記入領域２４に記入された通知情報２４ａが貼付片１０の通知情報複写領域４４に通知情報４４ａとして複写される（図４（ｃ））。
【００２９】
そして、貼付片１０と控え片２０とが剥離され、電子機器が梱包された配送物５０に、貼付片１０がその裏面に塗布された粘着剤１３によって貼付されるとともに（図４（ｄ））、控え片２０が修理の依頼者に渡される。控え片２０には、修理を依頼する電子機器の故障状態や現在の使用状況等の通知情報２４ａが通知情報記入領域２４に記入されているため、修理の依頼者は、この控え片２０を受け取って保管することにより、修理の依頼内容を管理することができる。また、この際、貼付片１０の通知情報複写領域４４が設けられた面が、配送物５０に対する貼付面となるため、通知情報複写領域４４に複写された通知情報４４ａが配送物５０の配送途中にて外部から見られてしまうことがなくなる。特に、本形態のように、通知情報記入領域２４に記入される通知情報２４ａが、回収される電子機器の故障状態や現在の使用状況等である場合、その電子機器の製造メーカにとってはこの通知情報２４ａが複写された通知情報４４ａが外部から見られてしまうことが好ましくないため、このような構成とすることが有効である。
【００３０】
その後、貼付片１０が貼付された配送物５０が、この配送物５０の配送先となる、電子機器の製造会社や修理会社に配送されると、まず、貼付片１０の切り込み３４が摘まれ、受領片３０が貼付片１０から離れる方向に引っ張られていくことによりミシン目１１が破断し、貼付片１０から受領片３０が分離される（図４（ｅ））。受領片３０の裏面には、粘着剤が塗布されていないため、受領片３０を配送物５０から容易に分離することができる。
【００３１】
次に、貼付片１０の切り込み４３が摘まれ、通知情報片４０が貼付片１０から離れる方向に引っ張られていくことによりミシン目１１が破断し、貼付片１０から通知情報片４０が分離される（図４（ｆ））。通知情報片４０の裏面には、粘着剤が塗布されていないため、通知情報片４０を配送物５０から容易に分離することができる。また、通知情報片４０の表面には、電子機器の配送先の住所や名称、並びに電子機器の修理依頼者の住所や氏名等の配送情報４１ａが印字されているとともに、通知情報片４０の裏面には、控え片２０の通知情報記入領域２４に記入された通知情報２４ａが通知情報４４ａとして複写されているため、電子機器の製造会社や修理会社においては、これらの配送情報４１ａと通知情報４４ａとを対応づけて、電子機器の故障状態や現在の使用状況等を管理することができるとともに、これらの情報が複写された通知情報片４０を保管することができる。
【００３２】
また、通知情報片４０は、配送情報４１ａが印刷された荷札となる部分であるため、通知情報片４０を配送物５０から分離することにより配送物５０に個人情報が残らず、電子機器を梱包した箱等を再利用することができる。
【００３３】
（第２の実施の形態）
図５は、本発明の配送伝票の第２の実施の形態を示す図であり、（ａ）は積層構成を示す図、（ｂ）は（ａ）に示したＡ−Ａ’断面図である。
【００３４】
本形態は図５に示すように、貼付片１１０と控え片１２０とが、貼付片１１０の一方の面に塗布された貼着手段である粘着剤１１３と控え片１２０の一方の面に塗布された剥離剤１２２によって互いに剥離可能に貼着されて構成されている。
【００３５】
図６は、図５に示した貼付片１１０の構成を示す図であり、（ａ）は表面の構成を示す図、（ｂ）は控え片１２０との貼着面の構成を示す図である。
【００３６】
本形態における貼付片１１０は図５及び図６に示すように、通知情報片１４０及び受領片１３０がミシン目１１１によって他の領域から分離可能に区画形成され、通知情報片１４０及び受領片１３０とはならない領域の裏面に粘着剤１１３が塗布されている。
【００３７】
通知情報片１４０は、この貼付片１１０が粘着剤１１３によって配送物に貼付された際に荷札となる部分であって、伝票番号を記入するための伝票番号記入領域１４２と、配送元や配送先の住所や氏名あるいは名称等の配送情報を記入するための配送情報記入領域１４１とが設けられている。また、１つの角部には切り込み１４３が形成されており、通知情報片１４０を貼付片１１０の他の領域から分離する際、この切り込み１４３を摘むことにより、分離しやすくなっている。さらに、伝票番号記入領域１４２及び配送情報記入領域１４１が設けられた面とは反対側の面には、その一部に顕色剤層１１２が積層され、それにより、控え片１２０に記入された、配送物となる電子機器等の故障状態や現在の使用状況等の通知情報が複写される通知情報複写領域１４４が形成されている。なお、この顕色剤層１１２は、通知情報片１４０のうち、配送物の配送元の住所や氏名を記入するための領域に対向する部分には積層されていない。
【００３８】
受領片１３０は、伝票番号を記入するための伝票番号記入領域１３３と、配送元や配送先の住所や氏名あるいは名称等の配送情報を記入するための配送情報記入領域１３１と、配送物が配送先に配送された場合に受領印を押下するための押下領域１３２とが設けられている。また、１つの角部には切り込み１３４が形成されており、受領片１３０を貼付片１１０の他の領域から分離する際、この切り込み１３４を摘むことにより、分離しやすくなっている。
【００３９】
図７は、図５に示した控え片１２０の構成を示す図であり、（ａ）は貼付片１１０との貼着面の構成を示す図、（ｂ）は裏面の構成を示す図である。
【００４０】
本形態における控え片１２０は図５及び図７に示すように、貼付片１１０との貼着面においては、貼付片１１０に積層された顕色剤層１１２に対向する領域にマイクロカプセル層１２１が積層され、通知情報片４０と対向しない領域の全面に剥離剤１２２が塗布され、その一部に広告情報１２３が印刷されている。また、裏面においては、マイクロカプセル層１２１に対向する領域に、配送物となる電子機器等の故障状態や現在の使用状況等の通知情報を記入するための通知情報記入領域１２４が設けられているとともに、広告情報１２３と対向する領域にも広告情報１２５が印刷されている。
【００４１】
これにより、控え片１２０の通知情報記入領域１２４に通知情報が記入されると、通知情報記入領域１２４に記入された通知情報が貼付片１１０の通知情報複写領域１４４に複写されることになる。
【００４２】
以下に、上記のように構成された配送伝票の使用方法について説明する。
【００４３】
図８は、図５〜図７に示した配送伝票の使用方法を説明するための図である。
【００４４】
電子機器を使用しているユーザが、電子機器が故障してその修理を依頼するために、その電子機器を購入した販売店に出向き、図５〜図７に示した配送伝票の貼付片１１０の配送情報記入領域１３１，１４１に、ユーザの住所や氏名等の配送情報１３１ａ，１４１ａを記入する。ここで、配送伝票の貼付片１１０の配送情報記入領域１３１，１４１には、電子機器をユーザから回収して電子機器の製造会社や修理会社に配送する配送業者において、レーザプリンタやインクジェットプリンタ等のノンインパクトプリンタによって、電子機器の配送先の住所や名称等が配送情報１３１ａ，１４１ａの一部として既に印字されている。また、貼付片１１０の伝票番号記入領域１３３，１４２にもこの配送伝票を管理するための同一の伝票番号１３３ａ，１４２ａが既に印字されている（図８（ａ））。この際、これらの情報はノンインパクトプリンタによって貼付片１１０に印字されるため、貼付片１１０の配送情報記入領域１３１，１４１に印字された配送情報１３１ａ，１４１ａがマイクロカプセル層１２１や顕色剤層１１２によって貼付片１１０の裏面や控え片１２０に複写されてしまうことはない。また、貼付片１１０に積層された顕色剤層１１２は、通知情報片１４０のうち、配送物の配送元の住所や氏名を記入するための領域に対向する部分には積層されていないため、貼付片１１０の配送情報記入領域１３１，１４１に、ユーザの住所や氏名等の配送情報１３１ａ，１４１ａが記入された際、これらの情報が貼付片１１０の裏面や控え片１２０に複写されてしまうこともない。
【００４５】
また、販売店にて電子機器の修理の依頼が受け付けられる際に、修理の依頼者あるいは販売店の店員によって、控え片１２０の通知情報記入領域１２４に、回収される電子機器の故障状態や現在の使用状況等の通知情報１２４ａが手書きで記入される（図８（ｂ））。
【００４６】
すると、控え片１２０の通知情報記入領域１２４の裏面には、マイクロカプセル層１２１が積層され、また、貼付片１１０のマイクロカプセル層１２１に対向する領域には顕色剤層１１２が積層されているため、記入の圧力によってマイクロカプセル層１２１の発色剤が放出され、顕色剤層１１２の顕色剤と接触することにより発色し、通知情報記入領域１２４に記入された通知情報１２４ａが貼付片１１０の通知情報複写領域１４４に通知情報１４４ａとして複写される（図８（ｃ））。
【００４７】
そして、貼付片１１０と控え片１２０とが剥離され、電子機器が梱包された配送物１５０に、貼付片１１０がその裏面に塗布された粘着剤１１３によって貼付されるとともに（図８（ｄ））、控え片１２０が、修理の依頼者に渡される。控え片１２０には、修理を依頼する電子機器の故障状態や現在の使用状況等の通知情報１２４ａが通知情報記入領域１２４に記入されているため、修理の依頼者は、この控え片１２０を受け取り、保管することにより、修理の依頼内容を管理することができる。また、この際、貼付片１１０の通知情報複写領域１４４が設けられた面が、配送物１５０に対する貼付面となるため、通知情報複写領域１４４に複写された通知情報１４４ａが配送物１５０の配送途中にて外部から見られてしまうことがなくなる。特に、本形態のように、通知情報記入領域１２４に記入される通知情報１２４ａが、回収される電子機器の故障状態や現在の使用状況等である場合、その電子機器の製造メーカにとってはこの通知情報１２４ａが複写された通知情報１４４ａが外部から見られてしまうことが好ましくないため、このような構成とすることが有効である。
【００４８】
その後、貼付片１１０が貼付された配送物１５０が配送業者によって回収され、この配送物１５０の配送先となる、電子機器の製造会社や修理会社に配送されると、まず、貼付片１１０の切り込み１３４が摘まれ、受領片１３０が貼付片１１０から離れる方向に引っ張られていくことによりミシン目１１１が破断し、貼付片１１０から受領片１３０が分離される（図８（ｅ））。受領片１３０の裏面には、粘着剤が塗布されていないため、受領片１３０を配送物１５０から容易に分離することができる。
【００４９】
次に、貼付片１１０の切り込み１４３が摘まれ、通知情報片１４０が貼付片１１０から離れる方向に引っ張られていくことによりミシン目１１１が破断し、貼付片１１０から通知情報片１４０が分離される（図８（ｆ））。通知情報片１４０の裏面には、粘着剤が塗布されていないため、通知情報片１４０を配送物１５０から容易に分離することができる。また、通知情報片１４０の表面には、電子機器の配送先の住所や名称、並びに電子機器の修理依頼者の住所や氏名等の配送情報１４１ａが印字されているとともに、通知情報片１４０の裏面には、控え片１２０の通知情報記入領域１２４に記入された通知情報１２４ａが通知情報１４４ａとして複写されているため、電子機器の製造会社や修理会社においては、これらの配送情報１４１ａと通知情報１４４ａとを対応づけて、電子機器の故障状態や現在の使用状況等を管理することができるとともに、これらの情報が複写された通知情報片１４０を保管することができる。
【００５０】
また、通知情報片１４０は、配送情報１４１ａが印刷された荷札となる部分であるため、通知情報片１４０を配送物１５０から分離することにより配送物１５０に個人情報が残らず、電子機器を梱包した箱等を再利用することができる。
【００５１】
なお、上述した２つの実施の形態においては、貼付片１０，１１０の通知情報片４０，１４０及び受領片３０，１３０とはならない領域の裏面に粘着剤１３，１１３が塗布されているが、粘着剤１３，１１３は、通知情報片４０，１４０及び受領片３０，１３０とはならない領域の裏面の一部に塗布されていればよい。
【００５２】
また、上述した２つの実施の形態においては、貼付片１０，１１０に積層された顕色剤層１２，１１２と、控え片２０，１２０に積層されたマイクロカプセル層２１，１２１とから、通知情報記入領域２４，１２４に記入された通知情報２４ａ，１２４ａが通知情報複写領域４４，１４４に通知情報４４ａ，１４４ａとして複写される複写構造を構成しているが、複写構造はこれに限らず、例えば、自己発色剤を用いたもの等であってもよい。また、顕色剤層１２，１１２及びマイクロカプセル層２１，１２１は、通知情報記入領域２４，１２４に対向する部分のみに積層されていればよい。
【００５３】
また、上述した２つの実施の形態において、広告情報２５、１２５の代わりに、この配送伝票を管理する管理番号を印字しておくことも考えられる。その場合、伝票番号記入領域３３，４２，１３３，１４２に伝票番号３３ａ，４２ａ，１３３ａ，１４２ａを印字する際に、同一の伝票番号を広告情報２５、１２５の代わりに管理番号として控え片２０，１２０に印字しておくことが考えられる。このような構成とすることにより、貼付片１０，１１０と控え片２０，１２０とが剥離された後においても、これらを互いに対応づけて管理することが可能となる。
【図面の簡単な説明】
【００５４】
【図１】本発明の配送伝票の第１の実施の形態を示す図であり、（ａ）は積層構成を示す図、（ｂ）は（ａ）に示したＡ−Ａ’断面図である。
【図２】図１に示した貼付片の構成を示す図であり、（ａ）は表面の構成を示す図、（ｂ）は控え片との貼着面の構成を示す図である。
【図３】図１に示した控え片の構成を示す図であり、（ａ）は貼付片との貼着面の構成を示す図、（ｂ）は裏面の構成を示す図である。
【図４】図１〜図３に示した配送伝票の使用方法を説明するための図である。
【図５】本発明の配送伝票の第２の実施の形態を示す図であり、（ａ）は積層構成を示す図、（ｂ）は（ａ）に示したＡ−Ａ’断面図である。
【図６】図５に示した貼付片の構成を示す図であり、（ａ）は表面の構成を示す図、（ｂ）は控え片との貼着面の構成を示す図である。
【図７】図５に示した控え片の構成を示す図であり、（ａ）は貼付片との貼着面の構成を示す図、（ｂ）は裏面の構成を示す図である。
【図８】図５〜図７に示した配送伝票の使用方法を説明するための図である。
【符号の説明】
【００５５】
１０，１１０    貼付片
１１，１１１    ミシン目
１２，１１２    顕色剤層
１３，１１３    粘着剤
２０，１２０    控え片
２１，１２１    マイクロカプセル層
２２，１２２    剥離剤
２３，２５，１２３，１２５    広告情報
２４，１２４    通知情報記入領域
２４ａ，４４ａ，１２４ａ，１４４ａ    通知情報
３０，１３０    受領片
３１，４１，１３１，１４１    配送情報記入領域
３１ａ，４１ａ，１３１ａ，１４１ａ    配送情報
３２，１３２    押印領域
３３，４２，１３３，１４２    伝票番号記入領域
３３ａ，４２ａ，１３３ａ，１４２ａ    伝票番号
３４，４３，１３４，１４３    切り込み
４０，１４０    通知情報片
４４，１４４    通知情報複写領域
５０，１５０    配送物
【図１】
0004724019.tif 000002
【図２】
0004724019.tif 000003
【図３】
0004724019.tif 000004
【図４】
0004724019.tif 000005
【図５】
0004724019.tif 000006
【図６】
0004724019.tif 000007
【図７】
0004724019.tif 000008
【図８】
0004724019.tif 000009